(57)【要約】【課題】患者に関する情報の共有を簡易化できる情報処理装置、情報処理システム及び情報処理方法を提供する。【解決手段】情報処理装置１１１は、患者に関する情報を記憶する記憶部１１３から、特定のＩＤに対応する特定の患者に関する情報を抽出する患者データ読取部１１４と、患者データ読取部１１４が抽出した特定の患者に関する情報を外部に出力する出力部１１６と、を備える情報処理装置１１１であって、特定の患者に関する情報を読み出すデータ入力部２１６と、データ入力部２１６が読み出した特定の患者に関する情報を記憶部１１３に記憶させる患者データ登録部２１４と、を備える。【選択図】図４
2020060948.tif 000002
【特許請求の範囲】
【請求項１】
患者に関する情報を記憶する記憶部から、特定のＩＤに対応する特定の患者に関する情報を抽出する患者データ読取部と、
前記患者データ読取部が抽出した前記特定の患者に関する情報を外部に出力する出力部と、
を備える情報処理装置であって、
前記特定の患者に関する情報を読み出すデータ入力部と、
前記データ入力部が読み出した前記特定の患者に関する情報を前記記憶部に記憶させる患者データ登録部と、
を備える、情報処理装置。
【請求項２】
前記特定の患者に関する情報には、個々に識別子が付与されており、
前記患者データ登録部は、前記データ入力部が読み出した前記特定の患者に関する情報を、新たな識別子を付与して、前記記憶部に記憶させる、
請求項１に記載の情報処理装置。
【請求項３】
前記出力部は、前記患者データ読取部が抽出した前記特定の患者に関する情報を、電子媒体に記録することにより外部に出力する、請求項１又は請求項２に記載の情報処理装置。
【請求項４】
前記出力部は、前記患者データ読取部が抽出した前記特定の患者に関する情報を、クラウドにアップロードすることにより外部に出力する、請求項１又は請求項２に記載の情報処理装置。
【請求項５】
前記患者データ読取部が抽出した前記特定の患者に関する情報の表示をコンピュータに実行させるアプリケーション実行ファイルを読み込むアプリケーション読込部をさらに備え、
前記出力部は、前記アプリケーション読込部が読み込んだ前記アプリケーション実行ファイルを、さらに外部に出力する、
請求項１乃至請求項４のいずれか一項に記載の情報処理装置。
【請求項６】
前記データ入力部は、前記アプリケーション実行ファイルを読み出し、
前記データ入力部が読み出した前記アプリケーション実行ファイルを実行するアプリケーション実行部をさらに備える、請求項５に記載の情報処理装置。
【請求項７】
第１の情報処理装置と、第２の情報処理装置とを備える情報処理システムであって、
前記第１の情報処理装置は、
患者に関する情報を記憶する第１の記憶部から、特定のＩＤに対応する特定の患者に関する情報を抽出する患者データ読取部と、
前記患者データ読取部が抽出した前記特定の患者に関する情報を外部に出力する出力部と、
を備え、
前記第２の情報処理装置は、
前記第１の情報処理装置の前記出力部から出力された前記特定の患者に関する情報を読み出すデータ入力部と、
前記データ入力部が読み出した前記特定の患者に関する情報を第２の記憶部に記憶させる患者データ登録部と、
を備える、
情報処理システム。
【請求項８】
第１の情報処理装置と第２の情報処理装置とを備える情報処理システムにより実行される情報処理方法であって、
前記第１の情報処理装置が、患者に関する情報を記憶する第１の記憶部から、特定のＩＤに対応する特定の患者に関する情報を抽出する抽出ステップと、
前記第１の情報処理装置が、前記抽出ステップで抽出された前記特定の患者に関する情報を外部に出力する出力ステップと、
前記第２の情報処理装置が、前記出力ステップで前記第１の情報処理装置から出力された患者に関する情報を読み出す読出ステップと、
前記第２の情報処理装置が、前記読出ステップで読み出した前記特定の患者に関する情報を第２の記憶部に記憶させる記憶ステップと、
を含む、情報処理方法。
【発明の詳細な説明】
【技術分野】
【０００１】
本開示は、情報処理装置、情報処理システム及び情報処理方法に関する。
【背景技術】
【０００２】
従来、医療機関を受診した患者の診断に関連する情報を共有するシステムが知られている。例えば、特許文献１には、医療機関間の情報の共有化を図るシステムが記載されている。
【先行技術文献】
【特許文献】
【０００３】
【特許文献１】特開２００２−６３２７４号公報
【発明の概要】
【発明が解決しようとする課題】
【０００４】
医療機関間で、より簡便に患者に関する情報を共有できれば望ましい。
【０００５】
本開示は、患者に関する情報の共有を簡易化できる情報処理装置、情報処理システム及び情報処理方法を提供することを目的とする。
【課題を解決するための手段】
【０００６】
幾つかの実施形態に係る情報処理装置は、患者に関する情報を記憶する記憶部から、特定のＩＤに対応する特定の患者に関する情報を抽出する患者データ読取部と、患者データ読取部が抽出した特定の患者に関する情報を外部に出力する出力部と、を備える情報処理装置であって、特定の患者に関する情報を読み出すデータ入力部と、データ入力部が読み出した特定の患者に関する情報を記憶部に記憶させる患者データ登録部と、を備える。これにより、情報処理装置から、特定の患者に関する情報を簡便に出力できるとともに、他の情報処理装置から出力された患者に関する情報を、記憶装置に記憶させることができる。そのため、異なる情報処理装置の間で、患者に関する情報の共有を簡易化することができる。
【０００７】
一実施形態において、特定の患者に関する情報には、個々に識別子が付与されており、患者データ登録部は、データ入力部が読み出した特定の患者に関する情報を、新たな識別子を付与して、記憶部に記憶させてよい。これにより、異なる情報処理装置から出力された情報の識別子を、自身の情報処理装置が用いる識別子に変換して、記憶することができる。
【０００８】
一実施形態において、出力部は、患者データ読取部が抽出した特定の患者に関する情報を、電子媒体に記録することにより外部に出力してよい。これにより、情報の共有化を、電子媒体を用いて実現することができる。
【０００９】
一実施形態において、出力部は、患者データ読取部が抽出した特定の患者に関する情報を、クラウドにアップロードすることにより外部に出力してよい。これにより、情報の共有化を、クラウドを用いて実現することができる。
【００１０】
一実施形態において、患者データ読取部が抽出した特定の患者に関する情報の表示をコンピュータに実行させるアプリケーション実行ファイルを読み込むアプリケーション読込部をさらに備え、出力部は、アプリケーション読込部が読み込んだアプリケーション実行ファイルを、さらに外部に出力してよい。この場合、他の情報処理装置において、アプリケーション実行ファイルを実行することにより、特定の患者に対応付けられた情報を、コンピュータに表示させることができる。そのため、情報処理装置のシステム環境に依らず、患者に関する情報を共有することができる。このようにして、患者に関する情報の共有を簡易化することができる。
【００１１】
一実施形態において、データ入力部は、アプリケーション実行ファイルを読み出し、データ入力部が読み出したアプリケーション実行ファイルを実行するアプリケーション実行部をさらに備えてよい。この場合、情報処理装置は、アプリケーション実行ファイルを実行することにより、他の情報処理装置から出力された特定の患者に関する情報を表示することができる。そのため、情報処理装置のシステム環境に依らず、患者に関する情報を共有することができる。このようにして、患者に関する情報の共有を簡易化することができる。
【００１２】
幾つかの実施形態に係る情報処理システムは、第１の情報処理装置と、第２の情報処理装置とを備える情報処理システムであって、第１の情報処理装置は、患者に関する情報を記憶する第１の記憶部から、特定のＩＤに対応する特定の患者に関する情報を抽出する患者データ読取部と、患者データ読取部が抽出した特定の患者に関する情報を外部に出力する出力部と、を備え、第２の情報処理装置は、第１の情報処理装置の出力部から出力された特定の患者に関する情報を読み出すデータ入力部と、データ入力部が読み出した特定の患者に関する情報を第２の記憶部に記憶させる患者データ登録部と、を備える。これにより、第１の記憶装置に記憶された特定の患者に関する情報を、第２の記憶装置に記憶させることができる。そのため、異なる情報処理装置の間で、患者に関する情報の共有を簡易化することができる。
【００１３】
幾つかの実施形態に係る情報処理方法は、第１の情報処理装置と第２の情報処理装置とを備える情報処理システムにより実行される情報処理方法であって、第１の情報処理装置が、患者に関する情報を記憶する第１の記憶部から、特定のＩＤに対応する特定の患者に関する情報を抽出する抽出ステップと、第１の情報処理装置が、抽出ステップで抽出された特定の患者に関する情報を外部に出力する出力ステップと、第２の情報処理装置が、出力ステップで第１の情報処理装置から出力された患者に関する情報を読み出す読出ステップと、第２の情報処理装置が、読出ステップで読み出した特定の患者に関する情報を第２の記憶部に記憶させる記憶ステップと、を含む。これにより、第１の記憶装置に記憶された特定の患者に関する情報を、第２の記憶装置に記憶させることができる。そのため、異なる情報処理装置の間で、患者に関する情報の共有を簡易化することができる。
【発明の効果】
【００１４】
本開示によれば、患者に関する情報の共有を簡易化できる情報処理装置、情報処理システム及び情報処理方法を提供することができる。
【図面の簡単な説明】
【００１５】
【図１】患者に関する情報の共有方法の比較例を説明するための概念図である。
【図２】情報処理装置の概略構成の一例を示す機能ブロック図である。
【図３】治療報告書の一例を示す図である。
【図４】本開示の一実施形態に係る情報処理システムを用いた情報の共有方法の一例を示す概念図である。
【図５】図４の第１の医療機関の情報処理装置が実行する処理の一例を示すフローチャートである。
【図６】電子媒体に記録されるデータの一例を示す図である。
【図７】図４の第２の医療機関の情報処理装置の表示部に表示される画面の一例を示す図である。
【図８】図４の第２の医療機関の情報処理装置が実行する処理の一例を示すフローチャートである。
【図９】本開示の一実施形態に係る情報処理システムを用いた情報の他の共有方法の一例を示す概念図である。
【発明を実施するための形態】
【００１６】
以下、本発明の一実施形態について、図面を参照して説明する。
【００１７】
まず、患者に関する情報の共有方法の比較例について説明する。本明細書では、以下、別段言及する場合を除いて、がん患者に関する情報を共有する場合の例について説明する。
【００１８】
図１は、患者に関する情報の共有方法の一例を説明するための概念図である。例えば、患者Ｘが、第１の医療機関１０を受診したとする。第１の医療機関１０では、担当の医師Ａが患者Ｘの診断及び治療を行う。
【００１９】
医師Ａは、患者Ｘの診断及び治療を行う過程において、患者Ｘに関する情報を、第１の医療機関１０内の管理システム１１に入力する。管理システム１１は、例えば第１の医療機関１０を受診する患者を管理するシステムである。例えば、管理システム１１は、コンピュータ等の情報処理装置１２を含んで構成される。医師Ａは、情報処理装置１２を用いて、患者Ｘに関する情報を入力することができる。この情報処理装置１２には、例えば患者に関する情報を入力及び閲覧可能なアプリケーション（ソフトウェア）が、予めインストールされている。医師Ａは、例えば、情報処理装置１２において当該アプリケーションを起動して、患者Ｘに関する情報を入力可能な表示画面を情報処理装置１２の表示部に表示させて、キーボード、マウス、及びタッチパネル等の入力装置を用いて、患者Ｘに関する情報を入力することができる。
【００２０】
患者Ｘに関する情報は、例えば、第１の医療機関１０内の管理システム１１において患者Ｘに一意に対応付けられた識別番号（以下「患者ＩＤ」ともいう）、並びに、患者を特定するための情報（以下「患者特定情報」ともいう）を含んでよい。患者特定情報は、例えば、患者Ｘの氏名、性別、生年月日、血液型、住所及び連絡先等を含んでよい。識別番号は、例えば所定の桁数の数字及び／又はアルファベットにより構成されていてよい。患者Ｘに関する情報は、患者を管理するための情報（以下「患者管理情報」ともいう）を含んでよい。患者管理情報は、例えば、患者Ｘが受診している医療機関（ここでは第１の医療機関１０）の名称、及び患者Ｘの担当医（ここでは医師Ａ）等を含んでよい。患者Ｘが入院している場合には、患者Ｘに関する情報は、患者Ｘが入院している病棟及び病室等の情報を含んでよい。患者管理情報は、患者Ｘの感染症に関する情報、及び患者Ｘのアレルギーに関する情報等を含んでよい。患者管理情報は、患者Ｘの症状及び治療に関する情報を含んでよい。患者Ｘの治療に関する情報は、これから実施する予定の治療の内容、及び、過去に実施済みの治療の内容を含んでよい。
【００２１】
医師Ａは、管理システム１１に入力された患者Ｘに関する情報を、コンピュータ等の情報処理装置１２を用いて閲覧することができる。例えば、医師Ａは、情報処理装置１２の表示部に表示された所定の検索画面において、患者Ｘの患者ＩＤ又は患者Ｘの氏名等を入力し、患者Ｘに関する情報を検索させる。情報処理装置１２の表示部には、検索された患者Ｘに関する情報が表示される。患者Ｘに関する情報は、所定のカテゴリーごとに表示されてよい。具体的には、患者Ｘに関する情報は、例えば予め所定のカテゴリーに分類され、各カテゴリーに対応するタブが、表示画面に表示されていてよい。医師Ａが、閲覧を希望するカテゴリーのタブを、入力部を用いて選択するすると、情報処理装置１２には、選択されたタブのカテゴリーに含まれる患者Ｘに関する情報が表示されてよい。
【００２２】
医師Ａは、患者Ｘの治療の過程において、適宜患者Ｘに関する情報を追加したり修正したりすることができる。また、医師Ａは、患者Ｘの病気の進行の程度に応じて、適宜患者Ｘに関する情報を追加したり修正したりすることができる。
【００２３】
患者Ｘが、第１の医療機関１０から他の医療機関に転院する場合、医師Ａは、管理システム１１に記憶された患者Ｘに関する情報のうち、転院先の医療機関で必要になると考えられる情報を選択し、選択した情報を印刷して患者Ｘに渡す。患者Ｘが転院する場合は、例えば、所定の医療装置を用いて治療が必要である場合に、第１の医療機関１０が当該医療装置を有さないため、当該医療装置を有する医療機関に転院する場合等が挙げられる。また、患者Ｘが転院する場合は、例えば、患者Ｘの手術を行った後に、術後のフォローを、患者Ｘの自宅に、より近い医療機関で行うために、当該より近い医療機関に転院する場合等が挙げられる。この他、必要に応じて、患者Ｘは医療機関を転院する場合がある。
【００２４】
医師Ａは、例えば、転院先の医療機関で必要になると考えられる情報について、印刷を実行するための入力を行う。情報処理装置１２は、印刷を実行するための入力に基づき、情報処理装置１２と通信可能に接続された印刷装置１５に対して、印刷を実行させるための命令信号を送信する。印刷装置１５は、当該命令信号に基づき、印刷を実行する。印刷装置１５は、例えばプリンタ又は複合機等により構成されていてよい。医師Ａは、例えば表示画面ごとに、印刷を実行するための入力を行う。印刷装置１５からは、医師Ａが行った入力に応じた患者Ｘに関する情報が印刷される。このようにして印刷された印刷物を、ここでは資料３０という。
【００２５】
医師Ａは、印刷した紙の資料３０を患者Ｘに手渡す。患者Ｘは、手渡された紙の資料３０を転院先の医療機関に持参する。ここでは、転院先の医療機関を、第２の医療機関２０という。第２の医療機関２０では、例えば担当の医師Ｂが患者Ｘの診断及び治療を行うとする。患者Ｘは、資料３０を、医師Ｂ又は第２の医療機関２０の医療事務員等に手渡す。医師Ｂは、資料３０を閲覧することによって、患者Ｘの病状や、治療の履歴等を確認することができる。第２の医療機関２０が、例えば第２の医療機関２０を受診する患者を管理する管理システムを有する場合、医師Ｂ又は第２の医療機関２０の医療事務員等は、コンピュータ等の情報処理装置を用いて、資料３０に記載された情報を、当該管理システムに入力してもよい。
【００２６】
図２は、情報処理装置１２の概略構成の一例を示す機能ブロック図である。図２に示す情報処理装置１２は、記憶部１３と、情報処理部１４とを含む。記憶部１３と情報処理部１４とは、それぞれ異なる装置により構成されている場合がある。この場合、情報処理部１４は、例えばコンピュータ等により構成され、記憶部１３は、例えば各種情報を記憶可能なサーバ装置により構成されている。
【００２７】
記憶部１３は、患者に関する情報を記憶する。記憶部１３は、患者に関する情報として、例えば図２に示すように、患者情報１３１、原発部位情報１３２、治療方針情報１３３、治療計画情報１３４、照射録情報１３５及び画像データ１３６を記憶している。
【００２８】
患者情報１３１は、患者の属性を示す情報である。患者情報１３１は、上述した患者特定情報及び患者管理情報を含んでよい。患者情報１３１は、例えば、患者の氏名、性別、生年月日、血液型、身長、体重、住所及び連絡先等を含んでよい。患者情報１３１は、患者のアレルギーに関する情報、及びその他の禁忌事項に関する情報を含んでもよい。
【００２９】
原発部位情報１３２は、患者のがんの原発部位を示す情報である。原発部位は、最初にがん（腫瘍）が発生した部位又は臓器等をいう。
【００３０】
治療方針情報１３３は、患者のがんの治療方針を示す情報である。具体的には、治療方針は、患者のがんの治療に関する全体的な方針である。例えば、治療方針は、どの時期にどのような治療を行うかの方針を含む。例えば、治療方針は、放射線治療のみを行うか、放射線治療と手術とを組み合わせて行うか、の方針を含む。治療方針は、根治又は緩和のいずれを目的とする治療かに関する方針を含む。
【００３１】
治療計画情報１３４は、患者のがんの治療計画を示す情報である。具体的には、治療計画は、患者に対して実施する治療の具体的な方法である。例えば、治療計画は、患者に対して照射する放射線に関する具体的な計画を含む。例えば、治療計画は、どの放射線治療機器を用いて、どの部位に、どれくらいの強さの放射線を、どこから照射するか、の計画を含む。
【００３２】
照射録情報１３５は、患者に対して照射した放射線の履歴を示す情報である。例えば、照射録情報１３５は、いつ、どの放射線治療機器を用いて、どの部位に、どれくらいの強さの放射線を、どこから照射したか、の情報を含む。
【００３３】
画像データ１３６は、撮像機器を用いて撮像された患者の画像のデータである。撮像機器は、例えば、ＣＴ及びＭＲＩ等を含む。つまり、画像データ１３６は、患者のＣＴ画像及びＭＲＩ画像等を含む。各画像データ１３６は、画像が撮像された日時、及び画像の撮像に用いた撮像装置に関する情報（例えば、撮像装置に固有の識別番号等）を含んでよい。
【００３４】
記憶部１３に記憶された各情報は、患者ＩＤに対応付けられて記憶されている。また、記憶部１３に記憶された各情報には、管理システム１１において一意に特定される識別子が、個々に付与されている。識別子は、各情報を一意に特定するものである。識別子は、例えば識別コードとして付与されていてよい。識別コードは、例えば所定の桁数の数字及び／又はアルファベットにより構成されていてよい。本明細書では、以下、識別子が識別コードであるとして説明する。
【００３５】
情報処理部１４は、制御手順を規定したプログラムを実行するＣＰＵ（Central Processing Unit）等の任意の好適なプロセッサ上で実行されるソフトウェアとして構成したり、処理ごとに特化した専用のプロセッサによって構成したりすることができる。
【００３６】
情報処理部１４は、記憶部１３から情報を検索して、資料３０として印刷可能なデータに加工する。情報処理部１４は、印刷可能なデータを印刷装置１５に送信して、印刷装置１５から紙の資料３０を出力させる。情報処理部１４は、医師により指定された、転院先の医療機関で必要になると考えられる情報を、資料３０として出力することができる。ここで説明する例では、情報処理部１４は、資料３０として、患者の照射録と治療報告書とを、出力させるとする。照射録は、患者に対して照射した放射線の履歴を示すものである。治療報告書は、患者に対して実施した治療の内容及びその結果を示すものである。
【００３７】
情報処理部１４は、例えば所定の患者の照射録と治療報告書とを出力させる。所定の患者は、例えば医師により指定された患者である。医師は、例えば情報処理部１４への入力操作が可能な入力装置を用いて、患者を指定する。患者の指定は、患者ＩＤ又は患者の氏名等を指定することにより行うことができる。情報処理装置１２は、指定された患者の照射録と治療報告書とを出力することができる。
【００３８】
情報処理部１４は、例えば図２に示すように、照射録用データ取出部１２１と、照射録出力部１２２と、治療報告書用データ取出部１２３と、治療報告書出力部１２４とを備える。
【００３９】
照射録用データ取出部１２１は、記憶部１３に記憶された情報のうち、指定された患者の、照射録の作成に必要な情報を抽出する。図２に示す例では、照射録用データ取出部１２１は、患者情報１３１、治療計画情報１３４及び照射録情報１３５から、指定された患者の患者ＩＤに対応付けられた情報を抽出する。照射録用データ取出部１２１は、患者情報１３１、治療計画情報１３４及び照射録情報１３５から、必要な一部の情報のみを選択して抽出してよい。
【００４０】
照射録出力部１２２は、照射録用データ取出部１２１により抽出された情報を、印刷装置１５で印刷可能な印刷用データに加工する。例えば、照射録出力部１２２は、照射録用データ取出部１２１により抽出された情報を、所定の書式（フォーマット）に変換する。照射録出力部１２２は、加工した印刷用データを、印刷装置１５に送信して、印刷装置１５に、紙の資料としての照射録３１を出力させる。
【００４１】
治療報告書用データ取出部１２３は、記憶部１３に記憶された情報のうち、指定された患者の、治療報告書の作成に必要な情報を抽出する。図２に示す例では、治療報告書用データ取出部１２３は、患者情報１３１、原発部位情報１３２、治療方針情報１３３、治療計画情報１３４、照射録情報１３５及び画像データ１３６から、指定された患者の患者ＩＤに対応付けられた情報を抽出する。治療報告書用データ取出部１２３は、患者情報１３１、原発部位情報１３２、治療方針情報１３３、治療計画情報１３４、照射録情報１３５及び画像データ１３６から、必要な一部の情報のみを選択して抽出してよい。
【００４２】
治療報告書出力部１２４は、治療報告書用データ取出部１２３により抽出された情報を、印刷装置１５で印刷可能な印刷用データに加工する。例えば、治療報告書出力部１２４は、治療報告書用データ取出部１２３により抽出された情報を、所定の書式（フォーマット）に変換する。治療報告書出力部１２４は、加工した印刷用データを、印刷装置１５に送信して、印刷装置１５に、紙の資料としての治療報告書３２を出力させる。
【００４３】
図３は、治療報告書３２の一例を示す図である。図３は、放射線治療を行う前の情報を示す報告書である。治療報告書３２は、例えば図３に示すように、報告書のページ番号、報告書の印刷日、患者情報、報告書情報、治療方針情報、及び複数の治療計画情報が記載される。報告書情報は、治療報告書３２に関する情報である。
【００４４】
図３に示す例では、患者情報として、患者ＩＤ、並びに患者の氏名、性別及び生年月日が記載される。また、図３に示す例では、患者情報として、入院又は外来の区分（入外）、及び患者が入院する病棟に関する情報が記載される。
【００４５】
図３に示す例では、報告書情報として、治療報告書３２の作成者名及び作成日時が記載される。作成者名は、治療報告書３２を作成した医師の氏名であり、例えば治療報告書３２を作成するための入力操作を行った医師の氏名である。図３に示す例では、報告書情報として、さらにコメントが記載される。コメントは、例えば治療報告書３２を作成した医師が、入力装置を用いて入力したコメントである。
【００４６】
図３に示す例では、治療方針情報として、治療種別、担当医、原発部位、病理組織、性状、異型度、今回の治療、治療方針、治療方法、照射方針及び照射部位が記載される。図３に示す例では、治療方針情報として、さらに複数の治療方針画像が掲載される。治療方針画像は、治療方針に関連する画像であり、例えば、患者の治療前の画像及び治療方針を図示する画像等を含んでよい。
【００４７】
図３に示す例では、治療計画情報として、患者の特定の照射部位（照射部位１）に関する複数の治療計画情報が記載されている。図３では、２回の治療計画情報が記載されている。放射線治療では、複数回、放射線の照射を伴う治療が行われることがあり、治療計画情報は、放射線の照射を伴う治療が行われる回数分の治療計画情報を含んでよい。図３に示す例では、治療計画情報として、治療種別、治療室、照射方法、標的基準点部位、１回線量、総線量、照射回数、線量評価部位、リスク部位、開始日及び終了日が記載される。標的基準点部位は、放射線照射の基準となる部位である。１回線量は、１回の放射線照射で照射される放射線の線量であり、照射回数は、放射線を照射する回数であり、総線量は、１回の治療において患者に照射される放射線の線量の合計である。線量評価部位は、患者に放射される放射線の線量を測定する基準となる部位である。リスク部位は、放射線の照射により影響を受け得る部位である。開始日及び終了日は、それぞれ、治療計画情報に記載された治療の開始日時及び終了日時である。開始日及び終了日は、予定の日時と、実際の日時（実績）とが記載されてよい。図３に示す例では、治療計画情報として、さらに複数の治療計画画像が掲載される。治療計画画像は、治療計画に関連する画像であり、例えば、患者の治療前後の画像及び治療計画を図示する画像等を含んでよい。
【００４８】
上述したように、患者Ｘは、医療機関を転院する場合、照射録３１及び治療報告書３２等の、医師Ａから手渡された紙の資料３０を、転院先の医療機関に持参する。転院先の第２の医療機関２０では、医師Ｂが資料３０を閲覧することによって、患者Ｘの病状や、治療の履歴等を確認する。
【００４９】
上述したような方法で患者に関する情報を医療機関の間で共有する場合、転院前の第１の医療機関１０の医師Ａは、資料３０を患者Ｘに手渡す必要がある。しかしながら、患者Ｘに関する治療データは多岐にわたるため、医師Ａにとっては、資料３０として印刷する情報を選択することに時間を要する。また、資料３０の枚数が多い場合には、印刷にも時間を要する。例えば、がん患者Ｘに関する資料３０は、１００枚以上となることもある。このような作業は、医師Ａにとって負担が大きい。また、このようにして印刷された資料３０を、転院先の病院に提供しても、印刷された資料３０は、転院前の第１の医療機関１０が有する情報の一部に過ぎず、第１の医療機関１０が有する情報の全体が、第２の医療機関２０に提供されるわけではない。
【００５０】
また、患者Ｘにとっても、多くの枚数の資料３０を持ち運ぶことは不便である。仮に、患者Ｘが資料３０を紛失等した場合には、再度資料３０の印刷を行うという手間も発生する。
【００５１】
さらに、転院先の第２の医療機関２０の医師Ｂにとっても、多くの紙の資料３０の全てを閲覧するのは煩わしい。また、第２の医療機関２０において、患者Ｘに関する情報を管理システムに登録するためには、医師Ｂ又は医療事務員等が、コンピュータ等の情報処理装置を用いて、資料３０に記載された情報を入力する必要があるため、手間がかかる。
【００５２】
例えば、第１の医療機関１０の管理システム１１に記憶された患者Ｘに関する情報を、資料３０という紙媒体ではなく、ＣＤ（Compact Disc）又はＤＶＤ（Digital Versatile Disc）等の電子媒体にコピーして、第２の医療機関２０と共有する方法が考えられる。しかしながら、第１の医療機関１０と第２の医療機関２０とが、異なる管理システムを使用している場合、第１の医療機関１０における患者Ｘに関する情報を、第２の医療機関２０にコピーして使用することができない。また、この場合には、管理システムが異なるため、電子媒体にコピーした情報を、第２の医療機関２０の管理システム上で閲覧することもできない。
【００５３】
また、仮に、第１の医療機関１０と第２の医療機関２０とが同一の管理システムを使用していたとしても、各管理システムでは、患者Ｘに関する情報の１つ１つに、管理システム内のみで一意の識別コードが付されて管理される。つまり、第１の医療機関１０における管理システムと、第２の医療機関２０における管理システムとで、患者Ｘに関する情報のそれぞれの識別コードが統一されていない。そのため、仮に、第１の医療機関１０と第２の医療機関２０とが同一の管理システムを使用している場合であっても、電子的にコピーして情報を共有することができない。
【００５４】
以下、上述した課題を解決可能な情報処理システムについて説明する。
【００５５】
図４は、本開示の一実施形態に係る情報処理システムを用いた情報の共有方法の一例を示す概念図である。図４に示す例においても、図１を参照して説明した例と同様に、第１の医療機関１０から第２の医療機関２０に、患者に関する情報を共有する場合について説明する。
【００５６】
第１の医療機関１０は、本実施形態に係る情報処理装置１１１を有する。情報処理装置１１１は、自身が記憶する情報を共有するために、外部に出力する機能（以下「出力機能」ともいう）を有する。情報処理装置１１１の出力機能の詳細について、情報処理装置１１１が有する機能ブロックを参照しながら説明する。
【００５７】
本実施形態に係る情報処理装置１１１は、情報処理部１１２と、記憶部１１３とを備える。
【００５８】
記憶部１１３は、図２を参照して説明した記憶部１３と同様の構成を有する。すなわち、記憶部１１３は、患者情報１３１、原発部位情報１３２、治療方針情報１３３、治療計画情報１３４、照射録情報１３５及び画像データ１３６を記憶している。記憶部１１３に記憶される情報は、それぞれの情報が該当する患者の患者ＩＤに対応付けられている。また、記憶部１１３に記憶された各情報には、情報処理装置１１１を含む管理システムにおいて一意に特定される識別コードが、個々に付与されている。
【００５９】
情報処理部１１２は、制御手順を規定したプログラムを実行するＣＰＵ等の任意の好適なプロセッサ上で実行されるソフトウェアとして構成したり、処理ごとに特化した専用のプロセッサによって構成したりすることができる。このようなプログラムは、例えば記憶部１１３、又は情報処理部１１２に接続された外部の記憶媒体等に記憶される。
【００６０】
情報処理部１１２は、例えば、医師Ａによる入力操作に基づき、記憶部１１３に記憶された患者に関する情報を表示部に表示する。医師Ａは、患者に関する情報を表示部に表示させることにより、患者に関する情報を閲覧することができる。表示部は、例えば情報処理装置１１１が備える表示部であってもよく、情報処理装置１１１と通信可能に接続された外部の装置が備える表示部であってもよい。
【００６１】
情報処理部１１２は、記憶部１１３から情報を検索して、第２の医療機関と情報共有可能な態様で、情報の出力を行う。情報処理部１１２は、例えば図４に示すように、患者データ読取部１１４と、アプリケーション読込部１１５と、出力部１１６とを備える。
【００６２】
第１の医療機関１０の医師Ａは、情報処理部１１２を用いて、特定の患者Ｘの患者に関する情報を共有するための入力操作を行う。具体的には、医師Ａは、情報処理装置１１１の入力装置から、第２の医療機関２０との間で情報を共有する対象の患者Ｘを指定する入力操作を行う。患者の指定は、患者ＩＤ又は患者の氏名等を指定することにより行うことができる。
【００６３】
患者データ読取部１１４は、記憶部１３に記憶された情報のうち、指定された患者Ｘに対応付けられた情報を抽出する。つまり、図４に示す例では、患者データ読取部１１４は、患者情報１３１、原発部位情報１３２、治療方針情報１３３、治療計画情報１３４、照射録情報１３５及び画像データ１３６から、患者Ｘの患者ＩＤに対応付けられた情報を抽出する。患者データ読取部１１４により抽出された患者に関する情報を、以下、本明細書において、「抽出患者情報」ともいう。抽出患者情報は、記憶部１１３において患者Ｘの患者ＩＤに対応付けられた情報の全体が含まれる。つまり、抽出患者情報は、記憶部１１３に記憶された患者Ｘに関する情報の全体を含む。ただし、抽出患者情報は、記憶部１１３において患者Ｘの患者ＩＤに対応付けられた情報の一部であってもよい。当該情報の一部は、予め設定された条件に従って抽出されてよい。
【００６４】
アプリケーション読込部１１５は、情報処理装置１１１において所定の記憶部に記憶されたアプリケーション実行ファイル１１７を読み込む。アプリケーション実行ファイル１１７は、抽出患者情報の表示をコンピュータ等に実行させるプログラムの実行ファイルである。つまり、コンピュータ等は、アプリケーション実行ファイル１１７を実行することにより、抽出患者情報を表示部に表示させることができる。アプリケーション実行ファイル１１７は、患者データ読取部１１４により抽出された患者に関する情報を、情報処理装置１１１の情報処理部１１２における表示態様と同じ表示態様で表示させることが可能な実行ファイルであってよい。つまり、アプリケーション実行ファイル１１７が、情報処理装置１１１外の他のコンピュータ等において実行された場合、当該他のコンピュータ等は、情報処理部１１２における表示態様と同じ表示態様で、患者に関する情報を表示できる。
【００６５】
アプリケーション実行ファイル１１７は、情報処理装置１１１における任意の記憶部に記憶されていてよい。アプリケーション実行ファイル１１７は、例えば、記憶部１１３に記憶されていてもよい。アプリケーション実行ファイル１１７は、例えば、情報処理部１１２に接続された外部の記憶媒体に記憶されていてもよい。
【００６６】
出力部１１６は、抽出患者情報と、アプリケーション読込部１１５が読み込んだアプリケーション実行ファイル１１７とを、情報処理装置１１１の外部に出力する。例えば、図４に示すように、出力部１１６は、抽出患者情報とアプリケーション実行ファイル１１７とをＣＤ又はＤＶＤ等の光学メディア３００に記録することにより、外部に出力する。出力部１１６が抽出患者情報とアプリケーション実行ファイル１１７とを記録する媒体は、光学メディア３００に限られず、他の任意の電子媒体であってよい。例えば、出力部１１６は、ＵＳＢ（Universal Serial Bus）メモリに、抽出患者情報とアプリケーション実行ファイル１１７とを記録してよい。出力部１１６は、抽出患者情報を電子媒体に記録する際に、識別コードについて変更を行うことなく、抽出患者情報を電子媒体に記録する。つまり、記憶部１１３に記憶された情報の識別コードと、電子媒体に記録された情報の識別コードとは、同一である。以下、本実施形態では、電子媒体が光学メディア３００であるとして説明する。
【００６７】
第１の医療機関１０の医師Ａは、患者Ｘが第１の医療機関１０から転院する場合、情報処理装置１１１の入力装置において、患者Ｘを指定し、指定した患者Ｘに関する情報を出力させる。図５は、第１の医療機関１０の情報処理部１１２が実行する処理の一例を示すフローチャートであり、具体的には、患者Ｘに関する情報を電子媒体（光学メディア３００）に出力する処理の一例を示すフローチャートである。
【００６８】
情報処理部１１２を用いて患者Ｘに関する情報を光学メディア３００に出力するにあたり、第１の医療機関１０の医師Ａは、入力装置を用いて、情報処理装置１１１に光学メディア３００への出力を実行させる操作を入力する。このとき、医師Ａは、情報を出力させる対象となる患者Ｘを指定する操作を入力する。
【００６９】
情報処理部１１２は、医師Ａによる入力操作を受け付ける（ステップＳ１１）。つまり、情報処理部１１２は、光学メディア３００への出力を実行させる入力操作と、出力の対象となる患者Ｘを指定する入力操作とを受け付ける。
【００７０】
情報処理部１１２は、患者データ読取部１１４において、ステップＳ１１で受け付けた入力操作に応じて、記憶部１１３から、患者Ｘに対応付けられた情報を抽出する（ステップＳ１２）。具体的には、患者データ読取部１１４は、指定された患者Ｘの患者ＩＤに対応付けられた情報を抽出する。
【００７１】
情報処理部１１２は、アプリケーション読込部１１５において、アプリケーション実行ファイル１１７を読み込む（ステップＳ１３）。
【００７２】
そして、情報処理部１１２は、出力部１１６において、抽出患者情報と、アプリケーション実行ファイル１１７とを、情報処理装置１１１の外部に出力する（ステップＳ１４）。本実施形態では、出力部１１６は、抽出患者情報と、アプリケーション実行ファイル１１７とを、光学メディア３００に記録することにより出力を行う。
【００７３】
図６は、電子媒体である光学メディア３００に記録されるデータの一例を示す図である。図６に示すように、光学メディア３００には、抽出患者情報３１０と、アプリケーション実行ファイル１１７とが記録される。
【００７４】
抽出患者情報３１０は、患者情報３３１、原発部位情報３３２、治療方針情報３３３、治療計画情報３３４、照射録情報３３５及び画像データ３３６を記憶している。これらの患者情報３３１、原発部位情報３３２、治療方針情報３３３、治療計画情報３３４、照射録情報３３５及び画像データ３３６は、それぞれ患者情報１３１、原発部位情報１３２、治療方針情報１３３、治療計画情報１３４、照射録情報１３５及び画像データ１３６に対応する。ただし、患者情報３３１、原発部位情報３３２、治療方針情報３３３、治療計画情報３３４、照射録情報３３５及び画像データ３３６は、患者Ｘのみに関する情報を含む点で、患者情報１３１、原発部位情報１３２、治療方針情報１３３、治療計画情報１３４、照射録情報１３５及び画像データ１３６と異なる。
【００７５】
アプリケーション実行ファイル１１７は、データ取出部１１８と、表示処理部１１９とを有する。データ取出部１１８は、抽出患者情報３１０として記憶されている情報を読み出す。表示処理部１１９は、データ取出部１１８において読み出した情報を、所定のレイアウトで表示部に表示する処理を実行する。
【００７６】
医師Ａは、このようにして情報処理装置１１１により出力された光ディスク等の光学メディア３００を、患者Ｘに手渡す。患者Ｘは、手渡された光学メディア３００を、転院先である第２の医療機関２０に持参する。例えば、患者Ｘは、光学メディア３００を、第２の医療機関２０の医師Ｂ又は医療事務員等に手渡す。第２の医療機関２０の医師Ｂは、第２の医療機関２０の管理システムやコンピュータ等を用いて、光学メディア３００に記録された患者Ｘに関する情報を閲覧することができる。
【００７７】
ここで、再び図４を参照して、第２の医療機関２０が有する情報処理装置２１１について説明する。第２の医療機関２０は、情報処理装置２１１を有する。情報処理装置２１１は、情報処理装置１１１から出力された患者に関する情報を表示する機能（以下「表示機能」ともいう）を有する。情報処理装置２１１の表示機能の詳細について、情報処理装置２１１が有する機能ブロックを参照しながら説明する。
【００７８】
情報処理装置２１１は、情報処理部２１２と、記憶部２１３とを備える。
【００７９】
記憶部２１３は、第２の医療機関２０の情報処理装置２１１で使用される各種情報を記憶する。記憶部２１３は、記憶部１１３と同様の構成を有していてよい。すなわち、記憶部２１３は、患者情報２３１、原発部位情報２３２、治療方針情報２３３、治療計画情報２３４、照射録情報２３５及び画像データ２３６を記憶していてよい。患者情報２３１、原発部位情報２３２、治療方針情報２３３、治療計画情報２３４、照射録情報２３５及び画像データ２３６の内容は、それぞれ患者情報１３１、原発部位情報１３２、治療方針情報１３３、治療計画情報１３４、照射録情報１３５及び画像データ１３６に対応する。ここで、記憶部１１３と同様に、記憶部２１３に記憶された各情報は、情報処理装置２１１において一意に特定される識別コードが付されているが、記憶部２１３で各情報に付されたコードと、記憶部１１３で各情報に付されたコードとは、独立した別のコードであり、互いに関連するものではない。
【００８０】
情報処理部２１２は、制御手順を規定したプログラムを実行するＣＰＵ等の任意の好適なプロセッサ上で実行されるソフトウェアとして構成したり、処理ごとに特化した専用のプロセッサによって構成したりすることができる。
【００８１】
情報処理部２１２は、コンピュータ等により構成されている。情報処理部２１２は、例えば、医師Ｂによる入力操作に基づき、記憶部２１３に記憶された患者に関する情報を表示部に表示する。医師Ｂは、患者に関する情報を表示部に表示させることにより、患者に関する情報を閲覧することができる。
【００８２】
情報処理部２１２は、患者Ｘが持参した光学メディア３００を使って、光学メディア３００に記録された患者Ｘに関する情報を表示部に表示することができる。情報処理部２１２は、例えば図４に示すように、アプリケーション実行部２１５と、データ入力部２１６とを備える。
【００８３】
第２の医療機関２０の医師Ｂは、患者Ｘに関する情報を閲覧するにあたり、例えば情報処理部２１２において、光学メディア３００を読取り可能なメディアドライブに、光学メディア３００をセットする。
【００８４】
データ入力部２１６は、他の医療機関の情報処理装置、すなわちここでは第１の医療機関１０の情報処理装置１１１から出力された情報を読み出す。図４に示す例では、データ入力部２１６は、メディアドライブにセットされた光学メディア３００に記録された情報を読み出す。つまり、ここでの例では、データ入力部２１６は、光学メディア３００に記録された、抽出患者情報３１０と、アプリケーション実行ファイル１１７とを読み出す。
【００８５】
アプリケーション実行部２１５は、データ入力部２１６で読み出したアプリケーション実行ファイル１１７を実行する。アプリケーション実行部２１５がアプリケーション実行ファイル１１７を実行することにより、情報処理装置２１１の表示部に、患者Ｘに関する情報が表示される。つまり、アプリケーション実行部２１５がアプリケーション実行ファイル１１７を実行すると、図６を参照して説明したデータ取出部１１８と、表示処理部１１９による処理が実行され、表示部に患者Ｘに関する情報が表示される。
【００８６】
図７は、アプリケーション実行部２１５がアプリケーション実行ファイル１１７を実行することにより、情報処理装置２１１の表示部に表示される画面の一例を示す図である。図７に一例として示すように、情報処理装置２１１の表示部には、患者情報、原発部位情報、治療方針情報、治療計画情報、照射録情報及び画像データが、表示処理部１１９により処理された所定のレイアウトで表示される。
【００８７】
上述の説明では、情報処理装置２１１が表示機能を実行すると説明したが、表示機能は、他のシステム又は装置により実行されてもよい。表示機能は、光学メディア３００に記録された情報を読み出すデータ入力部２１６と、データ入力部２１６で読み出したアプリケーション実行ファイル１１７を実行するアプリケーション実行部２１５とに相当する機能部を有する任意のシステム又は装置により実行することができる。例えば、表示機能は、コンピュータにより実行することができる。
【００８８】
このように、第１の医療機関１０の情報処理装置１１１は、医師等による入力操作に基づいて、指定された患者に関する情報を、電子媒体を用いて外部に出力する。医師等は、患者を指定することにより、患者に関する情報を簡便に出力できる。電子媒体には、抽出患者情報３１０と、抽出患者情報３１０の表示を実行させるアプリケーションを有するアプリケーション実行ファイル１１７とが記録される。第２の医療機関２０の情報処理装置２１１は、電子媒体に記録されたアプリケーション実行ファイル１１７を実行して、電子媒体に記録された抽出患者情報３１０を表示させることができる。このようにして、本実施形態に係る情報処理装置１１１によれば、患者に関する情報の共有を簡易化できる。
【００８９】
また、情報処理装置１１１は、抽出患者情報３１０とともに、アプリケーション実行ファイル１１７を、電子媒体に記録する。そのため、例えば第１の医療機関１０の情報処理装置１１１と、第２の医療機関２０の情報処理装置２１１が異なるシステムで用いられる装置であったとしても、情報処理装置２１１でアプリケーション実行ファイル１１７を実行することにより、電子媒体に記録された抽出患者情報３１０を表示することができる。このようにして、システム環境に依らず、抽出患者情報３１０を表示することができるため、患者に関する情報の共有が容易になる。
【００９０】
ここで、第１の医療機関１０の情報処理装置１１１と第２の医療機関２０の情報処理装置２１１とが同一のシステムで用いられる装置である場合、第２の医療機関２０の情報処理装置２１１は、情報処理装置１１１から出力された患者に関する情報を記憶部２１３に登録する機能（以下「登録機能」ともいう）を、さらに有する。情報処理装置２１１の登録機能の詳細について、再び図４を参照しながら説明する。
【００９１】
情報処理部２１２は、例えば図４に示すように、さらに患者データ登録部２１４を備える。患者データ登録部２１４は、データ入力部２１６で読み出した抽出患者情報３１０を、記憶部２１３に記憶させる。ここで、データ入力部２１６で読み出した抽出患者情報３１０には、第１の医療機関１０の情報処理装置１１１で付された識別コードが付されている。第１の医療機関１０の情報処理装置１１１で付される識別コードは、上述のように、第２の医療機関２０の情報処理装置２１１で付される識別コードとは独立する別のコードであり、互いに関連するものではない。そのため、抽出患者情報３１０について、付された識別コードをそのまま用いて記憶部２１３に記憶させることはできない。そこで、患者データ登録部２１４は、抽出患者情報３１０に含まれる各情報について、第２の医療機関２０の情報処理装置２１１の識別コードに沿った新たな識別コードを付与して、記憶部２１３に記憶させる。
【００９２】
図８は、第２の医療機関の情報処理部２１２が実行する処理の一例を示すフローチャートであり、具体的には、抽出患者情報３１０を、記憶部２１３に記憶させる処理の一例を示すフローチャートである。図８に示すフローは、例えば、光学メディア３００がメディアドライブにセットされたときに実行されてよい。
【００９３】
情報処理部２１２は、医師等による入力操作に基づいて、データ入力部２１６において、光学メディア３００に記録された情報を読み出す（ステップＳ２１）。ここでは、情報処理部２１２は、光学メディア３００に記録された情報のうち、少なくとも抽出患者情報３１０を読み出せばよい。
【００９４】
情報処理部２１２は、患者データ登録部２１４において、ステップＳ２１で読み出した抽出患者情報３１０の各情報について、新たに識別コードを付与する（ステップＳ２２）。
【００９５】
情報処理部２１２は、新たに識別コードを付与した情報を、記憶部２１３に記憶させる（ステップＳ２３）。具体的には、情報処理部２１２は、情報処理装置２１１を含む管理システムにおいて一意に特定される新たな識別コードを付与した、患者情報３３１、原発部位情報３３２、治療方針情報３３３、治療計画情報３３４、照射録情報３３５及び画像データ３３６を、それぞれ患者情報２３１、原発部位情報２３２、治療方針情報２３３、治療計画情報２３４、照射録情報２３５及び画像データ２３６として、記憶部２１３に記憶させる。
【００９６】
このようにして、光学メディア３００に記録された抽出患者情報３１０が、第２の医療機関２０の情報処理装置２１１で使用可能な態様で、記憶部２１３に記憶される。このようにして、異なるシステムで用いられる装置間において、患者に関する情報の共有を簡易化できる。
【００９７】
ここで、患者Ｘが、通院歴及び入院歴がない医療機関に転院する場合、つまり上述の実施形態に当てはめると、患者Ｘが第２の医療機関２０への通院歴及び入院歴がない場合、第２の医療機関２０の情報処理装置２１２の記憶部２１３には、患者Ｘに関する情報が記憶されていない。この場合、情報処理部２１２は、患者Ｘに関する情報を記憶部２１３に登録するに際し、患者Ｘに対応する患者ＩＤを新たに発行する。情報処理部２１２は、光学メディア３００に記録された患者Ｘに関する情報のそれぞれについて、新たに発行した患者Ｘの患者ＩＤに対応付けるとともに、新たな識別コードを付与して、記憶部２１３に記憶させる。
【００９８】
一方、患者Ｘが、通院歴及び入院歴がある医療機関に転院する場合、つまり上述の実施形態に当てはめると、患者Ｘが第２の医療機関２０への通院歴及び入院歴がある場合、第２の医療機関２０の情報処理装置２１２の記憶部２１３には、患者Ｘに関する情報が記憶されている。従って、第２の医療機関２０の情報処理装置２１２では、患者Ｘの患者ＩＤが既に発行されている。この場合、情報処理部２１２は、光学メディア３００に記録された患者Ｘに関する情報のそれぞれについて、発行済みの（既存の）患者Ｘの患者ＩＤに対応付けるとともに、新たな識別コードを付与して、記憶部２１３に記憶させる。
【００９９】
なお、第１の医療機関１０の情報処理装置１１１では、出力機能により患者Ｘに関する情報を出力した後も、患者Ｘの患者ＩＤを保有し続けてよい。これにより、例えば転院先の医療機関から患者Ｘに関する問合せを受けた場合等に、情報処理装置１１１において、患者Ｘに関する情報を検索したり閲覧したりすることができる。
【０１００】
上記実施形態では、第１の医療機関１０の情報処理装置１１１が出力機能を有し、第２の医療機関２０の情報処理装置２１１が表示機能及び登録機能を有すると説明したが、情報処理装置１１１及び２１１が実施可能な機能は、この態様に限られない。例えば、第１の医療機関１０の情報処理装置１１１が、出力機能に加えて、表示機能及び登録機能を有していてもよい。この場合、第１の医療機関１０の情報処理装置１１１は、上述した患者データ登録部２１４、アプリケーション実行部２１５及びデータ入力部２１６に相当する機能部をさらに有している。この場合、第１の医療機関１０の情報処理装置１１１は、他の医療機関１０の情報処理装置により出力された電子媒体を用いて、当該電子媒体に記録された抽出患者情報を表示させたり、情報処理装置１１１の記憶部１１３に記憶させたりすることができる。この場合、情報処理部１１２から、特定の患者に関する情報を簡便に出力できるとともに、他の情報処理装置から出力された患者に関する情報を、記憶部１１３に記憶させることができる。そのため、異なる情報処理装置の間で、患者に関する情報の共有を簡易化することができる。第２の医療機関２０の情報処理装置２１１についても同様である。
【０１０１】
また、上記実施形態では、第１の医療機関１０の情報処理装置１１１は、光学メディア３００等の電子媒体を用いて、患者に関する情報の出力を行うと説明した。しかしながら、情報の出力の方法は、これに限られない。例えば、第１の医療機関１０の情報処理装置１１１は、クラウド上に患者に関する情報をアップロードすることにより、情報の出力を行ってもよい。
【０１０２】
図９は、本開示の一実施形態に係る情報処理システムを用いた情報の他の共有方法の一例を示す概念図であり、クラウド上に患者に関する情報をアップロードする場合の例を示す概念図である。クラウド上に患者に関する情報をアップロードする場合、第１の医療機関１０の情報処理部１１２の出力部１１６は、抽出患者情報３１０とアプリケーション実行ファイル１１７とをクラウド４００にアップロードすることにより、外部に出力する。第２の医療機関２０では、例えば医師Ｂが、クラウド４００にアップロードされた抽出患者情報３１０とアプリケーション実行ファイル１１７とをダウンロードさせる入力操作を行う。第２の医療機関２０の情報処理部２１２のデータ入力部２１６は、当該入力操作に応じて、情報処理部１１２の出力部１１６によりクラウド４００にアップロードされた抽出患者情報３１０とアプリケーション実行ファイル１１７とを、ダウンロードする。データ入力部２１６がダウンロードした後、情報処理部２１２は、上述の実施形態と同様の方法で、表示機能及び登録機能を実行することができる。
【０１０３】
このように、クラウド４００を用いて情報を共有することもできる。この場合、患者Ｘは、電子媒体を第１の医療機関１０で受け取って、第２の医療機関２０に持参する必要がない。そのため、患者Ｘにとって、電子媒体を管理したり持参したりする手間がなくなる。また、患者Ｘが電子媒体を紛失する等のリスクがなくなる。
【０１０４】
上記実施形態では、第１の医療機関１０の情報処理部１１２の出力部１１６が、抽出患者情報とアプリケーション実行ファイルとを出力すると説明した。しかしながら、例えば、情報処理部１１２の出力部１１６は、抽出患者情報のみを出力してもよい。この場合であっても、第１の医療機関１０の情報処理装置１１１と、第２の医療機関２０の情報処理装置２１１とが、同一のシステムで用いられる装置であれば、患者に関する情報の共有を行うことができる。この場合、情報処理部１１２は、アプリケーション読込部１１５を有していなくてもよい。
【０１０５】
本開示は、上述した実施形態で特定された構成に限定されず、特許請求の範囲に記載した開示の要旨を逸脱しない範囲内で種々の変形が可能である。例えば、各構成部、各ステップなどに含まれる機能などは論理的に矛盾しないように再構成可能であり、複数の構成部またはステップなどを１つに組み合わせたり、あるいは分割したりすることが可能である。
【符号の説明】
【０１０６】
１０  第１の医療機関
１１  管理システム
１２、２１、１１１、２１１  情報処理装置
１３、１１３、２１３  記憶部
１４  情報処理部
１５  印刷装置
２０  第２の医療機関
３０  資料
３１  照射録
３２  治療報告書
１１２、２１２  情報処理部
１１４  患者データ読取部
１１５  アプリケーション読込部
１１６  出力部
１１７  アプリケーション実行ファイル
１１８  データ取出部
１１９  表示処理部
１２１  照射録用データ取出部
１２２  照射録出力部
１２３  治療報告書用データ取出部
１２４  治療報告書出力部
１３１、２３１、３３１  患者情報
１３２、２３２、３３２  原発部位情報
１３３、２３３、３３３  治療方針情報
１３４、２３４、３３４  治療計画情報
１３５、２３５、３３５  照射録情報
１３６、２３６、３３６  画像データ
２１４  患者データ登録部
２１５  アプリケーション実行部
２１６  データ入力部
３００  光学メディア
３１０  抽出患者情報
４００  クラウド
【図１】
2020060948.tif 000003
【図２】
2020060948.tif 000004
【図３】
2020060948.tif 000005
【図４】
2020060948.tif 000006
【図５】
2020060948.tif 000007
【図６】
2020060948.tif 000008
【図７】
2020060948.tif 000009
【図８】
2020060948.tif 000010
【図９】
2020060948.tif 000011